(57)【特許請求の範囲】
【請求項１】
外部から視認され、天井に設置される第１のカメラと、前記第１のカメラの外見から認識できないよう前記第１のカメラの内部に設置された第２のカメラと、を備え、
前記第２のカメラは前記第１のカメラとは異なる方向を向いて配置され、前記第１のカメラの撮影領域の死角を撮影するよう配置され、
前記第１のカメラが天井に設置された際、前記第２のカメラが前記第１のカメラの下方を撮影するよう配置されており、前記第１のカメラを認識して前記第１のカメラの下方に移動した不審者の犯行現場を前記第２のカメラが撮影する、
ことを特徴とする監視カメラ。
【請求項２】
前記第１のカメラがダミーカメラである、
ことを特徴とする請求項１に記載の監視カメラ。
【請求項３】
前記第１のカメラのケースに設けられた孔を介して前記第２のカメラが撮影する、
ことを特徴とする請求項１又は２に記載の監視カメラ。
【請求項４】
前記第１のカメラのケースの一部に透光部を有し、前記透光部を介して前記第２のカメラが撮影する、
ことを特徴とする請求項１又は２に記載の監視カメラ。
【請求項５】
前記第１のカメラのレンズの光軸と前記第２のカメラのレンズの光軸との交差角が８０〜１００°である、
ことを特徴とする請求項１乃至４のいずれか一項に記載の監視カメラ。
【請求項６】
前記第２のカメラがピンホールレンズカメラである、
ことを特徴とする請求項１乃至５のいずれか一項に記載の監視カメラ。
【発明の詳細な説明】
【技術分野】
【０００１】
本発明は、監視カメラに関する。
【背景技術】
【０００２】
百貨店等の様々な場所では、万引き犯等の不審者を監視、撮影すべく監視カメラが設置されている。しかしながら、万引き犯等は監視カメラの位置及びその撮影領域を確認し、監視カメラの死角に入って万引き等の犯行を行う習性がある。したがって、通常の監視カメラはその存在及び撮影領域が万引き犯等に容易に認識されるため、犯行現場を撮影することが困難である。
【０００３】
このため、監視カメラが万引き犯等に容易に認識されないよう、壁や天井、オブジェ等に隠して小型のカメラが設置されることもある。
【０００４】
また、監視カメラの死角を撮影可能なものとして、特許文献１に記載の監視カメラがある。特許文献１の監視カメラは、レンズの前方に可動式の反射板、及び、カメラの死角の移動体を検出するセンサを備えている。センサによる人の検出に基づいて反射板が稼働し、死角に入った人をレンズに投影し撮影している。
【先行技術文献】
【特許文献】
【０００５】
【特許文献１】特開２０１１−２２９０３６号公報
【発明の概要】
【発明が解決しようとする課題】
【０００６】
小型のカメラを壁や天井等に設置するにあたっては、壁や天井への加工が必要となる。また、カメラの設置箇所が設置作業時に認識されてしまっては意味をなさないので、客等の人が出入りする時間帯には設置作業を行うことができない。このため、設置作業が困難という問題がある。
【０００７】
特許文献１の監視カメラでは、反射板がレンズの前方に配置されており、外部から視認され得る。このため、反射板で反射されたものが撮影されることに万引き犯等が気付き、犯行現場の撮影ができないおそれがある。
【０００８】
本発明は、上記事項に鑑みてなされたものであり、その目的とするところは、設置作業が容易であり、且つ、万引き犯等に気付かれることなく、犯行現場を撮影可能な監視カメラを提供することにある。
【課題を解決するための手段】
【０００９】
本発明に係る監視カメラは、
外部から視認され、天井に設置される第１のカメラと、前記第１のカメラの外見から認識できないよう前記第１のカメラの内部に設置された第２のカメラと、を備え、
前記第２のカメラは前記第１のカメラとは異なる方向を向いて配置され、前記第１のカメラの撮影領域の死角を撮影するよう配置され、
前記第１のカメラが天井に設置された際、前記第２のカメラが前記第１のカメラの下方を撮影するよう配置されており、前記第１のカメラを認識して前記第１のカメラの下方に移動した不審者の犯行現場を前記第２のカメラが撮影する、
ことを特徴とする。
【００１０】
また、前記第１のカメラがダミーカメラであってもよい。
【００１１】
また、前記第１のカメラのケースに設けられた孔を介して前記第２のカメラが撮影してもよい。
【００１２】
また、前記第１のカメラのケースの一部に透光部を有し、前記透光部を介して前記第２のカメラが撮影してもよい。
【００１４】
また、前記第１のカメラのレンズの光軸と前記第２のカメラのレンズの光軸との交差角が８０〜１００°であってもよい。
【００１５】
前記第２のカメラがピンホールレンズカメラであってもよい。
【発明の効果】
【００１６】
本発明に係る監視カメラでは、外部から視認可能な第１のカメラと第１のカメラの内部に設置された第２のカメラを備える。そして、第２のカメラは第１のカメラの撮影領域の死角を撮影する。万引き犯等の不審者に第２のカメラの存在を気付かせることなく、第１のカメラの死角に入った不審者の犯行現場を第２のカメラで撮影することができる。
【００１７】
また、第１のカメラは外部から視認されるものであるため、設置作業時に第三者に見られてもよいので、設置作業が容易である。
【図面の簡単な説明】
【００１８】
【図１】監視カメラの斜視図である。
【図２】図１のＡ−Ａ’断面図である。
【図３】監視カメラの使用状態を説明する図である。
【図４】監視カメラの使用状態を説明する図である。
【図５】他の形態に係る監視カメラの断面図である。
【図６】他の形態に係る監視カメラの斜視図である。
【図７】他の形態に係る監視カメラの斜視図である。
【図８】他の形態に係る監視カメラの斜視図である。
【発明を実施するための形態】
【００１９】
以下、図を参照しつつ、本実施の形態に係る監視カメラについて説明する。図１及び図２に示すように、監視カメラ１は、第１のカメラ（ダミーカメラ１０）と第２のカメラ（隠しカメラ２０）とを備える。即ち、簡略すれば、ダミーカメラ１０の内部に隠しカメラ２０が設置されたものである。
【００２０】
ダミーカメラ１０は、直方体形状のケース１１の一方の面にレンズフード１２を有し、レンズフード１２にダミーレンズ１３が設置されている。また、ケース１１には、監視カメラ１を天井等に設置する際に用いられる取り付け用の台座１５が設置されている。
【００２１】
ダミーレンズ１３は、外部から容易に視認されるよう設置されている。このため、この監視カメラ１を見た者は、ダミーレンズ１３を通した映像が監視カメラ１で撮影されるものと認識することになる。
【００２２】
なお、ダミーカメラ１０は、市販されているダミー監視カメラがそのまま用いられてもよい。
【００２３】
ダミーカメラ１０のケース１１の側面の一部には、たとえば、１ｍｍ〜５ｍｍ程度の孔１４が設けられている。この孔１４を通して、隠しカメラ２０が撮影する。
【００２４】
隠しカメラ２０は、ダミーカメラ１０の仮想撮影領域の死角を撮影する。隠しカメラ２０は、ダミーカメラ１０のケース１１の内部に設置されており、監視カメラ１の外見からは存在していることがわからないよう配置されている。隠しカメラ２０は、隠しカメラ２０のレンズが孔１４を向くように、ケース１１に固定されている。隠しカメラ２０のケース１１への固定は、接着材や粘度、治具等の公知の手法にて行い得る。
【００２５】
隠しカメラ２０は配線３３により、ケース１１内に設置された基板３１と接続されている。また、基板３１には、外部の制御装置や記録装置、モニタ等へとつながる配線３２が接続されている。このような構成により、隠しカメラ２０により撮影された映像は、外部の制御装置等へと送信される。なお、基板３１を介さず配線３２が直接制御装置等へとつながっていてもよいし、配線３２を備えず無線通信によって映像を送信する形態であってもよい。
【００２６】
隠しカメラ２０は、ケース１１の内容積よりも小さく、監視カメラ１の外見からその存在が認識されずにケース１１内部に設置され得るものであれば、どのようなカメラが用いられてもよい。これらの隠しカメラ２０はいずれも市販されているものがそのまま用いられてもよい。
【００２７】
隠しカメラ２０の好適な例としては、ピンホールレンズを有するカメラ（ピンホールレンズカメラ）が挙げられる。ピンホールレンズカメラは、例えば、１〜４ｍｍ程度の小径の孔を通して、ピンホールレンズの後方に配置されたＣＣＤイメージセンサ、ＣＭＯＳイメージセンサ等の個体撮像素子に映像を映し出すものである。小径の孔を通して撮影できることから、ケース１１に設けられる孔１４の直径が数ｍｍ程度と小さくてすむ。このため、監視カメラ１は一般的に用いられている監視カメラと外見上は同様に見えるので、監視カメラ１に隠しカメラ２０が設置されていることが、外部からは認識できないようにできる。また、市販のダミーカメラ１０のケース１１に既設のネジ孔や換気孔などが設けられている場合には、それらが孔１４として利用されていてもよい。
【００２８】
隠しカメラ２０はダミーカメラ１０とは異なる方向を向くように設置されており、例えば、図２に示すように、ダミーカメラ１０のダミーレンズ１３の光軸と隠しカメラ２０のレンズの光軸との交差角θが８０〜１００°となるように、隠しカメラ２０がダミーカメラ１０の中に設置される。
【００２９】
続いて、監視カメラ１の使用状態について説明する。監視カメラ１は、例えば、図３に示すように、台座１５を介して天井に設置されて、不審者Ｓを撮影する。
【００３０】
万引きを行おうとする不審者Ｓは監視カメラ１を視認する。不審者Ｓは、そのレンズ（ここではダミーレンズ１３）の撮影領域を認識し、例えば、商品を持ってダミーカメラ１０の死角へと移動する。そして、不審者Ｓはダミーカメラ１０の死角に入り、そこで犯行に及ぶ。不審者Ｓの心理として、監視カメラ１の下方は、視認し得る監視カメラ１のレンズ（ここではダミーレンズ１３）が向いておらず、犯行現場を撮影されることがないものと考え、安心して犯行を行える場と捉えているものと考えられる。
【００３１】
本実施の形態に係る監視カメラ１では、不審者Ｓが監視カメラ１の外見を見ても、隠しカメラ２０の存在までは認識することができない。すなわち、ダミーカメラ１０を視認し、ダミーカメラ１０の仮想撮影領域を認識することなる。そして、不審者Ｓが万引きを行おうとし、ダミーカメラ１０の仮想撮影領域を考慮して、ダミーカメラ１０の下方にある死角、すなわち、監視カメラ１の下方へと移動し、犯行に及ぶこととなる。
【００３２】
しかしながら、ダミーカメラ１０の下方の死角は、隠しカメラ２０の撮影領域である。このため、ダミーカメラ１０の死角にて犯行に及んだ不審者Ｓは、隠しカメラ２０によってその犯行現場が撮影されることとなる。そして、撮影された不審者Ｓの犯行現場の映像は、記録装置やモニタ等に送信される。
【００３３】
このように、本実施の形態に係る監視カメラ１は、不審者Ｓの心理を上手く利用し、不審者Ｓを隠しカメラ２０の撮影領域におびき出し、犯行現場を捉えるものといえる。
【００３４】
一般的な隠しカメラであれば、その設置位置及び撮影領域が認識されては意味を要さなくなるので、第三者に見られないよう設置しなければならない。即ち、スーパー、量販店、百貨店等の店舗であれば、閉店後のお客がいない時間帯に設置作業を行わなければならない。また、隠しカメラを壁や天井の内側などに埋め込む等の加工を要し、設置作業が繁雑であるとともに、設置後の隠しカメラのメンテナンスも困難になる。近年では２４時間営業している店舗も多く、そのような店舗では人の目に触れずに設置作業を行うことは特に困難である。
【００３５】
一方、本実施の形態に係る監視カメラ１では、設置後も視認されるものであるので、設置作業が人に見られても支障はない。したがって、人がいない時間帯を見計らって設置作業を行う必要がなく、一般的な監視カメラと同様に設置作業も容易である。また、監視カメラ１は設置後においても露出した形態であるので、一般的な監視カメラと同様にメンテナンスも容易である。
【００３６】
なお、上記の監視カメラ１は、隠しカメラ２０が真下を撮影するのではなく、図４に示すように、ダミーレンズ１３の光軸を軸に回転させ、隠しカメラ２０のレンズの光軸が斜め下方向を向くように設置されていることが好ましい。真下を撮影すると、不審者Ｓの頭頂部のみが撮影され、不審者Ｓの特徴が撮影されがたい。隠しカメラ２０が斜め下方向を撮影するよう設置されていれば、不審者Ｓの顔や服装等の装飾品などを撮影することができ、犯行に及んだ不審者Ｓのより多くの特徴を撮影することができる。
【００３７】
また、監視カメラ１は、レンズフード１２が設置されているケース１１の面等にＬＥＤ等の発光部材が設置されていてもよい。発光による擬似動作を行うことで、あたかもダミーレンズ１３を通してダミーカメラ１０が撮影していることを見せかけるよう構成されていてもよい。
【００３８】
また、図５に示す監視カメラ２のように、ダミーカメラ１０のケース１１に孔が設けられておらず、一部の側壁が透光板１６から構成され、この透光板１６を通じて隠しカメラ２０がダミーカメラ１０の仮想撮影領域の死角を撮影するよう構成されていてもよい。この場合、透光板１６はスモーク板等、内部に配置された隠しカメラ２０が外部から視認できないよう構成される。
【００３９】
また、ダミーカメラ１０のケース１１の形状は、上記の四角柱形状に限られない。例えば、ケース１１の形状は、図６に示す監視カメラ３のように円柱形状であってもよい。また、ケース１１の形状は、図７に示す監視カメラ４のように３角柱形状のほか、５角柱形状や６角柱形状の多角柱形状であってもよい。このような形状であれば、ケース１１内への隠しカメラ２０の設置位置の自由度が高まり、監視カメラ１を設置する際、上述のように傾けなくてもよいこととなる。その他、ケース１１の形状は、半球体形状等、内部に隠しカメラ２０が設置可能であればどのような形状であってもよい。
【００４０】
また、レンズフード１２、ダミーレンズ１３を備えていなくてもよい。この場合、監視カメラ１であること、そして、第１のカメラの撮影方向及び撮影領域が外部から認識されるようにされていればよい。例えば、図８に示す監視カメラ５のように、ケース１１の一部に透光板１７が設置されているなど、監視カメラ５であることを気付かせるよう構成されているとよい。即ち、第１のカメラは、外見上、第１のカメラが実際に撮影しているように認識され得るものであればどのような形態であってもよい。
【００４１】
また、上記では、第１のカメラがダミーカメラ１０であり、第１のカメラでは映像が撮影されない例について説明したが、第１のカメラが、実際に撮影可能なカメラであっても構わない。この場合、不審者Ｓの犯行前或いは犯行後の足取りなども撮影できることとなる。
【００４２】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、本発明の範囲内とみなされる。
【符号の説明】
【００４３】
１    監視カメラ
２    監視カメラ
３    監視カメラ
４    監視カメラ
５    監視カメラ
１０    ダミーカメラ（第１のカメラ）
１１    ケース
１２    レンズフード
１３    ダミーレンズ
１４    孔
１５    台座
１６    透光板
１７    透光板
２０    隠しカメラ（第２のカメラ）
３１    基板
３２    配線
３３    配線
Ｓ    不審者
【図１】
0005622873.tif 000002
【図２】
0005622873.tif 000003
【図３】
0005622873.tif 000004
【図４】
0005622873.tif 000005
【図５】
0005622873.tif 000006
【図６】
0005622873.tif 000007
【図７】
0005622873.tif 000008
【図８】
0005622873.tif 000009